(57)【要約】【課題】仮設店舗等、商品マスターファイルを常時参照できない環境下で用いるのに適した商品管理方法を提供する。【解決手段】入荷商品に添付されている従来のバーコード１１をスキャナ２４で読込み、ホストコンピュータ１の商品マスターファイル２を参照して商品データ３３を呼出し、二次元コード２３に変換したラベルを発行する。販売登録時に二次元コード２３をハンディターミナル２０のスキャナ２４で瞬時に読み取り、直ちに文字情報に変換し、表示部２６に表示し、必要なデータを記憶部２９に記憶すると共に、レシート１２をプリンタ２１から発行する。記憶部２９に蓄積されたデータはホストコンピュータ１に送信される。【選択図】　　図１
2004094566.tif 000002
【特許請求の範囲】
【請求項１】
販売端末で商品に添付された商品コード表示媒体を読み取り、この読み取られた商品コードに基づいて販売実績を記録する商品管理方法において、
前記商品コード表示媒体には少なくとも商品コードと価格情報とを二次元コードで記録し、
商品マスターファイルを常時参照できない販売端末において販売登録する場合は、前記二次元コードを読み取り、可読文字にて商品名、代金等を表示部に表示し、これらが記載されたレシートを発行すると共に販売実績を販売端末の記憶装置に記憶し、この蓄積された販売実績をホストコンピュータへ転送することを特徴とする商品管理方法。
【請求項２】
前記請求項１に記載の商品管理方法において、入荷時に既にＰＬＵコードが添付されている商品には商品マスターファイルを検索して二次元コード付の商品コード表示媒体を発行し、入荷時にＰＬＵコードが添付されていない商品には、入力装置から商品データを入力して二次元コード付の商品コード表示媒体を発行することを特徴とする請求項１に記載の商品管理方法。
【発明の詳細な説明】
【０００１】
【発明の属する技術分野】
本発明は、小売業における商品の売上高、受・発注量、在庫等を管理するのに用いて好適な商品管理方法に関し、特に仮設店舗等で商品マスターファイルを常時参照できない環境下で用いるのに適した商品管理方法に関する。
【０００２】
【従来の技術】
近年、商品は多種多様化するとともに短サイクル化し、売り上げ、受注、発注等、迅速かつキメ細かな商品管理が求められている。
【０００３】
図４は従来の商品管理方法を示す説明図である。
１はＰＯＳ（Ｐｏｉｎｔ　ｏｆ　ｓａｌｅ）システムを構成するストアコントローラ等のホストコンピュータであり、該ホストコンピュータ１には各商品毎の商品コード、商品名、単価や販売数等の情報を蓄積した商品マスターファイル（図中、「商品Ｍファイル」と略記する）２と、該商品マスターファイル２を構成する商品情報を入力する為のキーボード３等の入力機器を備えている。
【０００４】
この商品マスターファイル２には商品コードと商品価格とが対応して記録されたＰＬＵ（Ｐｒｉｃｅ　Ｌｏｏｋ　Ｕｐ）テーブルや商品の名称，部門番号等の商品情報が登録されている。
【０００５】
４はホストコンピュータ１にＬＡＮ（Ｌｏｃａｌ　Ａｒｅａ　Ｎｅｔｗｏｒｋ）等で接続された販売端末で、該販売端末４はバーコードスキャナ５、カードリーダ６、キーボード７、表示部８、プリンタ９等を備えている。
これらの販売端末４では、お客が商品１０を買い求めた時、その商品に付されているバーコード１１をバーコードスキャナ５で読み取り、そのコードがＬＡＮを介して検索され、商品マスターファイル２に登録されている場合は、上記コードと対応して登録されている商品情報、商品価格に基づいてレシート１２への印字等の売り上げ登録を行ない、登録されていない場合は、キーボード７から人手によって入力される商品情報、商品価格に基づいて売り上げ登録を行なう。
【０００６】
なお、１００はサーバーで、該サーバー１００には図示はしないが、上述したのと同様なホストコンピュータ１，販売端末４が複数接続されている。
【０００７】
【発明が解決しようとする課題】
ところで、小売店等における多種多様の商品の売り上げ、受注、発注等を管理するためには、複数の販売端末４から常に最新の状況を把握した商品マスターファイルを検索できることが必要となり、システムが複雑で一旦設置した設備は移動や変更が困難である等、制約事項も多かった。
【０００８】
一方、車内販売や催事場における仮設売場などで、ハンディターミナルや携帯型パソコン、ＰＤＡなどを用いた商品管理が行われている。しかし、これらの場合、これらの入力端末に多くの管理情報（上述した商品マスターファイルなど）を格納するデータ格納エリアを設けなければならず、高額な設備投資を行うか、さもなければ販売商品の種類を抑えるしかなかった。
【０００９】
【課題を解決するための手段】
本発明は、上記課題に鑑みてなされたもので、販売端末で商品に添付された商品コード表示媒体を読み取り、この読み取られた商品コードに基づいて販売実績を記録する商品管理方法において、前記商品コード表示媒体には少なくとも商品コードと価格情報とを二次元コードで記録し、商品マスターファイルを常時参照できない販売端末において販売登録する場合は、前記二次元コードを読み取り、可読文字にて商品名、代金等を表示部に表示し、これらが記載されたレシートを発行すると共に販売実績を販売端末の記憶装置に記憶し、この蓄積された販売実績をホストコンピュータへ転送することを特徴とする。
【００１０】
この場合、入荷時に既にＰＬＵコードが添付されている商品には商品マスターファイルを検索して二次元コード付の商品コード表示媒体を発行し、入荷時にＰＬＵコードが添付されていない商品には、キーボード等の入力装置から商品データを入力して二次元コード付の商品コード表示媒体を発行するのが好ましい。
【００１１】
上記手段によれば、商品に付された二次元コードには商品情報、商品価格が記録されているので、ホストに常時接続できない販売端末ではこの二次元コードから商品情報，商品価格等を読み込み、これに従って販売登録を行なうことができる。
【００１２】
また、入荷時に既にＰＬＵコードが添付されている商品には商品マスターファイルを検索して二次元コード付の商品コード表示媒体を発行し、入荷時にＰＬＵコードが添付されていない商品には、キーボード等から商品データを入力して二次元コード付の商品コード表示媒体を発行することで、既存のＰＯＳシステムに蓄積した商品情報を有効活用して人手による入力作業を極力省略できる。
【００１３】
【発明の実施の形態】
以下、本発明の好ましい実施の形態について図１ないし図３を用いて説明する。なお、上述したのと同一の構成要素には同一の符号を付し、その説明を省略する。
【００１４】
本実施の形態においては、販売端末として、ハンディーターミナル２０および携帯プリンタ２１を使用する。また、ハンディターミナル２０をホストコンピュータ１と接続するために、無線装置３２，３２，…を備えている。
【００１５】
図２はハンディターミナル２０の機能を表すブロック図で、該ハンディターミナル２０はＣＰＵ２２と、該ＣＰＵ２２の制御のもとに、商品１０に添付されたバーコード１１や二次元コード２３を読み取るスキャナ２４を備え、ハンディターミナルの本体にはデータやコマンドを入力する為のキーボード部２５、表示部２６を備えている。
【００１６】
２７は携帯プリンタ２１に接続して印字命令の送信やステータスの受信を行うプリンタインタフェース（図中、プリンタＩ／Ｆと略記する）であり、有線によるものの他に、電波や赤外線などを用いた無線（ワイヤレス）方式も使用できる。
【００１７】
２８は前記無線装置３２と併せてハンディターミナル２０とホストコンピュータ１をＬＡＮに接続するための通信インタフェース（図中には通信Ｉ／Ｆと略記する）である。本実施形態では、無線方式である場合を例示するが、有線接続であってもよい。
【００１８】
２９は販売登録等のデータを格納する記憶部であり、該記憶部２９はハンディターミナル２０の本体内に固定されたものでも良いし、メモリカードのように容易に取り外したり交換できるものでもよい。
【００１９】
３０は代金やお釣り、返金処理、並べ替えなどの処理を行うための演算処理部である。以上に述べた２４〜３０はバス３１を介してＣＰＵ２２に接続されている。
【００２０】
本実施の形態による商品管理方法では、メーカーや卸問屋などから小売店に入荷した商品に対して入荷検品、二次元コードの発行と添付、販売登録の処理を行う（図１参照）。
【００２１】
まず、商品の入荷時には、多くの場合商品に従来のバーコード１１が添付されている。例えば食品業界ではＪＡＮタイプのバーコードが、アパレル業界ではＮＷ−７タイプのバーコードが、物流業界ではＩＴＦタイプのバーコードが主に使用されている。
【００２２】
これら従来のバーコード１１は、英数字カナの十数文字程度しか記録できないため、メーカー等が出荷時に各商品に添付するバーコードには商品コード程度しか記録されていない。
【００２３】
本実施の形態では、入荷検品時にこれら商品に添付された従来のバーコード１１をスキャナで読込み、ホストコンピュータ１に接続して商品マスターファイル２を参照することにより販売登録に必要な価格や商品名等の商品データ（図１中の３３参照）を呼出し、二次元コード２３に変換したラベルを発行する。
【００２４】
この作業には通信インタフェース２８を介してＬＡＮに接続したハンディターミナル２０と携帯プリンタ２１を用いるが、従来の販売端末７のスキャナ５とプリンタ９を用いて行うこともできる。
【００２５】
二次元コードとしては、例えばＰＤＦ４１７を用いることができる。二次元コードは、約１．５ｃｍ×数ｃｍに約５００文字程度の漢字及び平仮名を含む文字情報をコード化して記録することが可能であり、従来のバーコードに比し管理記録できる情報量が著しく増大する。なお、バーコードのデータ記録方法等については周知であるため説明は省略する。
【００２６】
本発明は、かかる二次元コードの特性に鑑み、販売登録時に二次元コード化された商品情報をハンディターミナル２０のスキャナ２４で瞬時に読み取り、直ちに文字情報に変換し、表示部２６に表示できる。そして、商品名、販売員や端末のＩＤ、代金、日時、支払方法、値引き、優待ポイント等のデータを記憶部２９に記憶すると共に、レシート１２をプリンタ２１から発行する。
【００２７】
そして、記憶部２９に蓄積された販売記録はホストコンピュータ１に送信される。このデータ転送は無線通信インタフェース２８を介して行っても良く、また、記憶部２９がメモリカード等のような取り外し可能な場合は、これらのメモリカードを介してデータを移動してもよい。
【００２８】
以上のように、本発明によれば、従来のＰＯＳシステムのように入力されたバーコードを基にして必要な情報を検索するために常時ホストコンピュータ１にアクセスすることが不要となり、二次元コードを読み取るだけで販売登録に必要なデータが得られるので、車内販売のような移動しながらの販売や、催し物会場での仮説店舗などでも多種多様なサービスや商品管理を行うことができる。
【００２９】
次に、入荷検品時に行う二次元コードラベルの発行手順を図３の流れ図に従って説明する。
【００３０】
ステップ１（図中、「Ｓ１」と略記する。以下同様）では、ハンディターミナル２０のスキャナ２４で入荷した商品１０の、従来のバーコード１１を読み取る。
【００３１】
ステップ２では、バーコード１１に価格情報が含まれないバーコード（ＰＬＵコード）か否かが判定される。イエス（Ｙ）の場合は次のステップ３へ進み商品マスターファイル２を検索し、ノー（Ｎ）の場合はステップ７へ移行する。
【００３２】
ステップ４では商品コードが商品マスターファイル２に登録されているか否か判定される。イエス（Ｙ）の場合は次のステップ５へ進み商品情報を読み出し、ノー（Ｎ）の場合はステップ７へ移行する。
【００３３】
ステップ６では上記ステップ５で読み出された商品情報を二次元コード２３に加工しラベルに印字して携帯プリンタ２１から発行する。
【００３４】
前記ステップ２でノー（Ｎ）の場合、即ち、従来のバーコードがＮＯＮーＰＬＵタイプであった場合、価格は既に従来のバーコード１１に記録されているので、価格は入力する必要はない。然るに、上述したように従来のバーコードは英数字カナの十数文字程度しか記録できないため、既に価格が記録されていた場合は他の商品情報を記録する余地がない。そこで、不足している商品情報をキーボード部２５へ入力することを催促するメッセージを表示部２６に表示する（ステップ７）。
【００３５】
次のステップ８で手入力が終了したか否かが判定され、イエス（Ｙ）の場合は前述のステップ６へ進み入力された情報を基に二次元コード２３のラベルを発行する。ノー（Ｎ）の場合はステップ７へリターンする。
【００３６】
以上のように、入荷時に既にＰＬＵコードが添付されている商品には商品マスターファイルを検索して二次元コード付の商品コード表示媒体を発行し、入荷時にＰＬＵコードが添付されていない商品には、キーボード等の入力装置から商品データを入力して二次元コード付の商品コード表示媒体を発行することで、既存のＰＯＳシステムに蓄積した商品情報を有効活用して人手による入力作業を極力省略でき、作業効率を向上できる。
【００３７】
かくして、本実施の形態によれば、従来構造上ＰＯＳシステムの導入が困難であった臨時・不定期的な露店や催事場の仮設店舗等でも運用でき、また、アルバイト店員などの臨時要員でも本格的なＰＯＳシステムでの運用とほぼ同様の精度をもって商品管理ができる。
【００３８】
そして、各ハンディターミナル２０からホストコンピュータ１へ販売実績のデータが転送された後は、レシート１２に記録されたデータと照合することにより、複数の販売端末４から何時／誰が／何処で／何を／どのように販売したかの掌握が可能となり、臨時仮設売り場での販売商品をお客が返品に来た場合もこの情報を基に返金処理がスムーズに行われる。
【００３９】
なお、上述した実施の形態では商品の例として衣類を図示したが、本発明はこの形態に限定されることなく、「商品」の販売とはサービスに変換し得るチケットの販売や、貸本／貸服／貸ビデオなどのレンタル業にも適用しうる観念である。
また、二次元コードの一例としてＰＤＦ４１７を例示したが、あくまで例示であってこれに限定するものではない。
また、販売端末の入力装置として、キーボードを例示したが、タッチパネルやタブレットなどの入力装置でもよく、プリペイドカードやクレジットカード、会員カード等を読み取るなめの磁気カードリーダやＩＣカードリーダを設けても良い。
【００４０】
【発明の効果】
以上のように、本発明によれば、車内販売・イベント会場等に出店する仮設売り場などで、商品マスターファイルを常時参照できない条件下であってもキメ細かな販売時情報収集を行うことができる。
【図面の簡単な説明】
【図１】本発明の実施の形態を示すシステム構成図である。
【図２】ハンディターミナルの機能を示すブロック図である。
【図３】二次元コードラベルの発行手順を示すフロー図である。
【図４】従来のＰＯＳシステムの一例を示すシステム構成図である。
【符号の説明】
１…プリンタ、２…商品マスターファイル、４…販売端末、５．２４…スキャナ、９…プリンタ、１２…レシート、２０…ハンディターミナル、２１…携帯プリンタ
【図１】
2004094566.tif 000003
【図２】
2004094566.tif 000004
【図３】
2004094566.tif 000005
【図４】
2004094566.tif 000006